(57)【特許請求の範囲】
【請求項１】
アコースティックピアノに近似したレットオフ感を付与するレットオフ機能を有する電子鍵盤楽器の鍵盤装置において、押鍵された鍵に連動して回動するハンマーが、その回動途中に、レットオフ付与部材に一時的に係合することにより、当該押鍵された鍵のタッチ感にレットオフ感を付与するレットオフ付与部材の取付構造であって、
前記ハンマーを回動自在に支持するハンマーサポートを備え、
前記レットオフ付与部材が、前記ハンマーサポートに直接、取り付けられており、
前記レットオフ付与部材は、複数のレットオフ付与部材で構成されており、
当該複数のレットオフ付与部材の各々は、取付部と、この取付部の下端から、対応するハンマーに向かって前下がりに延びる本体部と、を有しており、
前記ハンマーサポートは、
複数の鍵にそれぞれ対応する複数のハンマーを、左右方向に並んだ状態で回動自在に支持するハンマー支持部と、
前記複数のハンマーにそれぞれ対応しかつ左右方向に並んだ状態に形成され、前記取付部が貫通した状態で、前記複数のレットオフ付与部材がそれぞれ取り付けられる複数の取付孔と、
これらの複数の取付孔の付近に、下方に突出するように設けられ、前記複数のレットオフ付与部材の各々の前記取付孔よりも下位でかつ前記本体部の延び方向の先端と反対側の部分が当接する当接壁と、
を有していることを特徴とする電子鍵盤楽器のレットオフ付与部材の取付構造。
【発明の詳細な説明】
【技術分野】
【０００１】
本発明は、電子ピアノなどの電子鍵盤楽器に適用され、アコースティックピアノに近似したレットオフ感を付与するためのレットオフ付与部材の取付構造に関する。
【背景技術】
【０００２】
従来、電子ピアノなどにおいてレットオフ感を付与するレットオフ機能を備えた電子鍵盤楽器の鍵盤装置として、例えば本出願人がすでに出願した特許文献１に開示されたものが知られている。この鍵盤装置では、押鍵された鍵に連動して回動するハンマーが、金属製の押出成形品で構成されたアクションシャーシに回動自在に支持されている。また、鍵盤装置には、ハンマーごとにレットオフ部品が設けられており、押鍵に伴って回動するハンマーの係合突起が、その回動途中にレットオフ部品に一時的に係合することにより、押鍵された鍵のタッチ感にレットオフ感が付与される。
【０００３】
レットオフ部品は、取付部と、この取付部から前下がりに延びる本体部などを有している。このように構成されたレットオフ部品は、取付部がホルダに取り付けられ、本体部が対応するハンマーに臨むように、ホルダを介して、アクションシャーシの上部に取り付けられている。より具体的には、多数のハンマーにそれぞれ対応する多数のレットオフ部品は、左右方向に延びるホルダに取り付けられた状態で、そのホルダがアクションシャーシにねじ止めされることによって、左右方向に並んだ状態でアクションシャーシに取り付けられている。
【先行技術文献】
【特許文献】
【０００４】
【特許文献１】特開２０１０−２６２１２９号公報
【発明の概要】
【発明が解決しようとする課題】
【０００５】
上記の鍵盤装置では、ハンマーの係合突起がレットオフ部品の先端部に係脱することによって、レットオフ感の付与が行われる。このため、ハンマーとレットオフ部品との位置関係、およびレットオフ部品の全体の姿勢や先端部の位置には、高い精度が求められる。しかし、前述したように、従来の鍵盤装置では、レットオフ部品が、アクションシャーシにねじ止めされるホルダを介して、アクションシャーシに取り付けられているため、アクションシャーシに直接取り付けられるハンマーに対し、レットオフ部品を精度良く位置決めすることができないことがある。また、レットオフ部品間で、姿勢や先端部の位置にばらつきが生じている場合には、すべての鍵に対し、押鍵時に均一で安定したレットオフ感を付与することができなくなるおそれもある。したがって、上記の鍵盤装置には、レットオフ部品の取付構造に関し、改善の余地がある。
【０００６】
本発明は、以上のような課題を解決するためになされたものであり、ハンマーに対するレットオフ付与部材を高精度で位置決めすることができ、すべての鍵に対し、押鍵時に均一で安定したレットオフ感を付与することができる電子鍵盤楽器のレットオフ付与部材の取付構造を提供することを目的とする。
【課題を解決するための手段】
【０００７】
上記の目的を達成するために、請求項１に係る発明は、アコースティックピアノに近似したレットオフ感を付与するレットオフ機能を有する電子鍵盤楽器の鍵盤装置において、押鍵された鍵に連動して回動するハンマーが、その回動途中に、レットオフ付与部材に一時的に係合することにより、押鍵された鍵のタッチ感にレットオフ感を付与するレットオフ付与部材の取付構造であって、ハンマーを回動自在に支持するハンマーサポートを備え、レットオフ付与部材が、ハンマーサポートに直接、取り付けられており、レットオフ付与部材は、複数のレットオフ付与部材で構成されており、複数のレットオフ付与部材の各々は、取付部と、この取付部の下端から、対応するハンマーに向かって前下がりに延びる本体部と、を有しており、ハンマーサポートは、複数の鍵にそれぞれ対応する複数のハンマーを、左右方向に並んだ状態で回動自在に支持するハンマー支持部と、複数のハンマーにそれぞれ対応しかつ左右方向に並んだ状態に形成され、取付部が貫通した状態で、複数のレットオフ付与部材がそれぞれ取り付けられる複数の取付孔と、これらの複数の取付孔の付近に、下方に突出するように設けられ、複数のレットオフ付与部材の各々の取付孔よりも下位でかつ本体部の延び方向の先端と反対側の部分が当接する当接壁と、を有していることを特徴とする。
【０００８】
この構成によれば、ハンマーを回動自在に支持するハンマーサポートに、レットオフ付与部材が直接、取り付けられているので、ハンマーを支持するアクションシャーシにホルダを介して取り付けられる従来と異なり、レットオフ付与部材をハンマーに対し、高精度で位置決めすることができる。これにより、ハンマーに対応する鍵に対し、押鍵時に安定したレットオフ感を付与することができる。
【００１０】
また、上記の構成によれば、複数のレットオフ付与部材の各々は、取付部と、その下端から、対応するハンマーに向かって前下がりに延びる本体部と、を有している。一方、ハンマーサポートは、ハンマー支持部によって、複数の鍵にそれぞれ対応する複数のハンマーを、左右方向に並んだ状態で回動自在に支持し、また、複数のハンマーにそれぞれ対応しかつ左右方向に並んだ状態に形成された複数の取付孔を有している。これらの複数の取付孔には、取付部が貫通した状態で、複数のレットオフ付与部材がそれぞれ取り付けられている。また、複数の取付孔の付近に、下方に突出する当接壁が設けられており、この当接壁に、複数のレットオフ付与部材の各々の所定部分が当接している。具体的には、その所定部分は、取付孔に取り付けられたレットオフ付与部材において、取付孔よりも下位でかつ本体部の延び方向の先端と反対側の部分である。
【００１１】
このように、ハンマーサポートに、複数の取付孔を介してそれぞれ取り付けられた複数のレットオフ付与部材では、各レットオフ付与部材の上下方向および前後方向の位置が取付孔によって決まり、前下がりに延びる本体部の姿勢が当接壁によって決まる。したがって、ハンマーサポートの取付孔および当接壁の位置やサイズなどを適切に設定することにより、複数のレットオフ付与部材の各々を、それらの間でばらつきなく、位置および姿勢を左右方向に均一に揃えることができる。その結果として、すべての鍵に対し、押鍵時に均一で安定したレットオフ感を付与することが可能になる。
【図面の簡単な説明】
【００１２】
【図１】本発明の一実施形態によるレットオフ付与部材の取付構造を適用した電子ピアノの鍵盤装置を、一部を切り欠いた状態で示す側面図である。
【図２】ハンマーサポートを示す斜視図であり、（ａ）は、１オクターブ分のハンマーサポートの全体を示し、（ｂ）は、一部を切り欠いた状態を示す。
【図３】ハンマーサポートを示す図であり、（ａ）は平面図、（ｂ）は正面図である。
【図４】レットオフ部品を示す図であり、（ａ）は、複数のレットオフ部品が連なった状態を示す斜視図、（ｂ）は、レットオフ部品の側面図である。
【図５】（ａ）は、ハンマーサポートに、ハンマー、鍵スイッチおよびレットオフ部品を取り付けた状態を示す側断面図であり、（ｂ）は、（ａ）の一点鎖線円Ｃ内を拡大して示す図である。
【発明を実施するための形態】
【００１３】
以下、図面を参照しながら、本発明の好ましい実施形態を詳細に説明する。図１は、本発明の一実施形態によるレットオフ付与部材の取付構造を適用した電子ピアノの鍵盤装置を、離鍵状態において示している。
【００１４】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（レットオフ付与部材）（１つのみ図示）と、鍵２の押鍵情報を検出するための鍵スイッチ７などで構成されている。
【００１５】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１６】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００１７】
鍵２は、前後方向に延びるとともに矩形状の横断面を有する木製の鍵本体１５と、その前部の上面および前面に接着された合成樹脂製の鍵カバー１６で構成されている。鍵本体１５の中央よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００１８】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００１９】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２０】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２１】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２２】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、前端部および中央部がスイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２３】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２４】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２５】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００２６】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００２７】
次に、本発明に係るレットオフ付与部材の取付構造について、詳細に説明する。図２および図３は、１オクターブ分のハンマーサポート４を示している。前述したように、このハンマーサポート４は、合成樹脂の成形品で構成されており、互いに左右方向に所定間隔を隔てた状態で、隣り合うハンマー５を仕切る複数の仕切壁５１を有している。各仕切壁５１は、前記ハンマー支持部１９に対応し、側面形状が縦長のほぼ長方形状に形成された方形壁５２と、前記スイッチ取付部２０に対応し、方形壁５２の上部前端に連なりかつ側面形状がほぼ三角形状に形成された三角壁５３とで構成されている。そして、このハンマーサポート４において、すべての方形壁５２は、その下部の前端部および下端部が左右方向に連なるとともに、上部の後端部が、背壁部５４を介して、左右方向に連なっている。一方、すべての三角壁５３は、その上部の前半部が、上壁部５５を介して、左右方向に連なっている。
【００２８】
背壁部５４の前面上端部には、方形壁５２の上端付近に適宜、斜め上前方に突出する複数の基板係止部５４ａが突設されている。これらの基板係止部５４ａと各方形壁５２との間に、鍵スイッチ７のスイッチ基板２９の後端部が差し込まれた状態で係止される。
【００２９】
上壁部５５には、その上面前端部に、ねじ孔５６ａを有しかつ上方に所定長さ突出する複数（本実施形態では２つ）のねじ止め部５６が設けられる一方、上面後端部に、上方に所定長さ突出する複数（本実施形態では３つ）の基板支持部５７が設けられている。各基板支持部５７は、左右方向に若干間隔を隔てた一対の突起で構成され、両突起の間にねじ孔５７ａが形成されている。また、上壁部５５には、隣り合う仕切壁５１、５１（三角壁５３、５３）の間にそれぞれ、前記レットオフ部品６を取り付けるための複数の取付孔５８が形成されている。
【００３０】
これらの取付孔５８は、ハンマーサポート４に支持された複数のハンマー５にそれぞれ対応し、左右方向に並んだ状態に形成されている。各取付孔５８は、平面形状が所定サイズの正方形に形成されており、これらの取付孔５８では、左右方向の位置以外、すなわち上下方向および前後方向の位置が共通になっている。また、上壁部５５の下面には、左右方向に延びるとともに、上記取付孔５８の前側縁部から下方に若干突出し、レットオフ部品６の後述する後係止凸部４７が当接する当接壁６０が形成されている。なお、上壁部５５の各取付孔５８の後方に形成された開口５９は、ハンマー５が上方に回動したときに、レットオフ部品６に係合するハンマー５の係合突起２７が、上壁部５５に当たるのを回避するためのものである。
【００３１】
また、隣り合う仕切壁５１、５１間にはそれぞれ、方形壁５２と三角壁５３が連なる部分に、左右方向に延びる前記支点軸部２１が設けられている。そして、前述したように、この支点軸部２１にハンマー５が回動自在に支持されている。
【００３２】
図４（ａ）は、複数のレットオフ部品６が連なり、１オクターブ分（１２個）を一組として一体成形されたセット品６Ａの一部（３つのみ図示）を示しており、同図（ｂ）は、レットオフ部品６の側面図である。同図に示すように、レットオフ部品６は、自身をハンマーサポート４の上壁部５５に取り付けるための取付部４１と、この取付部４１の下端から前下がりに延びる本体部４２と、この本体部４２の先端に、くびれ部４３を介して設けられた前記頭部２８とを有している。
【００３３】
取付部４１は、上方に開放する中空部４４を有するブロック状に形成されており、上端部の連接部４５を介して、隣り合うレットオフ部品６、６が左右方向に連なっている。また、取付部４１の下端部には、本体部４２が延びている側である前側、およびその反対側である後ろ側にそれぞれ、前係止凸部４６および後係止凸部４７が設けられるとともに、レットオフ部品６が連なる方向である左右両側にそれぞれ、横係止凸部４８が設けられている。そして、取付部４１では、上端部の連接部４５と下端部の前後左右の係止凸部４６、４７、４８、４８との間の横断面は、ハンマーサポート４側の取付孔５８と形状およびサイズがほぼ同じになっている。
【００３４】
本体部４２は、取付部４１の下端から前下がりに所定長さ延びており、先端ほど、横断面が若干小さくなるように形成されている。また、頭部２８は、先端側が凸に湾曲するように形成されている。
【００３５】
このように構成された複数のレットオフ部品６を有するセット品６Ａは、ハンマーサポート４の上壁部５５に取り付けられている。具体的には、図５に示すように、各レットオフ部品６は、取付孔５８を介して、上壁部５５に取り付けられており、この場合、取付部４１は、上壁部５５の取付孔５８に貫通し、連接部４５が取付孔５８の上側縁部に係止される一方、前係止凸部４６、後係止凸部４７、左右の横係止凸部４８、４８が、取付孔５８の下側縁部に係止される。
【００３６】
またこの場合、後係止凸部４７は、上壁部５５の当接壁６０に当接する。より具体的には、後係止凸部４７は、当接壁６０のレットオフ部品６側の面によって、若干押し潰された状態で当接している。なお、上記の後係止凸部４７が、本発明の「複数のレットオフ付与部材の各々の取付孔よりも下位でかつ本体部の延び方向の先端と反対側の部分」に相当する。
【００３７】
上記のように、後係止凸部４７が当接壁６０に当接することにより、複数の取付孔５８を介して上壁部５５に取り付けられたセット品６Ａでは、各レットオフ部品６間で、本体部４２の傾斜した姿勢が同一になり、それにより、頭部２８の位置も同一になる。
【００３８】
以上詳述したように、本実施形態によれば、ハンマー５を回動自在に支持するハンマーサポート４に、レットオフ部品６が直接、取り付けられているので、ホルダを介して取り付けられる従来と異なり、ハンマー５に対するレットオフ部品６を高精度で位置決めすることができる。また、セット品６Ａのレットオフ部品６はいずれも、上下方向および前後方向の位置が共通の取付孔５８に、取付部４１が取り付けられ、加えて、後係止凸部４７を介して、当接壁６０に当接している。したがって、セット品６Ａのすべてのレットオフ部品６を、それらの間でばらつきなく、位置および姿勢を左右方向に均一に揃えることができる。それにより、すべての鍵２に対し、押鍵時に均一で安定したレットオフ感を付与することができる。
【００３９】
なお、実施形態で示したハンマーサポート４およびレットオフ部品６の細部の構成などは、あくまで例示であり、本発明の趣旨の範囲内で適宜、変更することができる。
【符号の説明】
【００４０】
１    鍵盤装置
２    鍵
４    ハンマーサポート
５    ハンマー
６    レットオフ部品（レットオフ付与部材）
６Ａ  セット品
１９    ハンマー支持部
２７    係合突起
２８    頭部
４１    取付部
４２    本体部
４７    後係止凸部
５５    上壁部
５８    取付孔
６０    当接壁
【図１】
0005864188.tif 000002
【図２】
0005864188.tif 000003
【図３】
0005864188.tif 000004
【図４】
0005864188.tif 000005
【図５】
0005864188.tif 000006